(57)【要約】  【課題】  従来、監視カメラを設置する場合、カメラの設置工事が必要であり、時間、工事費用がかかるという問題があり、また、既存の建物では、美観を損なうと言う問題も発生する。  【解決手段】  本発明のカメラ装置は、カメラ装置の電源と蛍光灯の電源とを兼用するカメラ装置であって、上記カメラ装置は、撮像部と、上記撮像部で撮像された映像信号を処理する信号処理部と、上記信号処理部で処理された信号を伝送する伝送部と、上記撮像部、上記信号処理部および上記伝送部に電力を供給する電源部からなり、上記蛍光灯は、第１と第２のフィラメントを有する発光管と、上記フィラメントに電力を供給される変圧器とからなり、上記カメラ装置の電源部は、上記フィラメントのいずれか一方に供給される電力、あるいは、上記第１と第２のフィラメント間に供給される電力のいずれか一方の電力を供給されるように構成される。【選択図】  図１
2005184167.tif 000002
【特許請求の範囲】
【請求項１】
カメラ装置の電源と蛍光灯の電源とを兼用するカメラ装置において、上記カメラ装置は、撮像部と、上記撮像部で撮像された映像信号を処理する信号処理部と、上記信号処理部で処理された信号を伝送する伝送部と、上記撮像部、上記信号処理部および上記伝送部に電力を供給する電源部からなり、上記蛍光灯は、第１と第２のフィラメントを有する発光管と、上記フィラメントに電力を供給される変圧器とからなり、上記カメラ装置の電源部は、上記フィラメントのいずれか一方に供給される電力、あるいは、上記第１と第２のフィラメント間に供給される電力のいずれか一方の電力を供給されることを特徴とするカメラ装置。
【請求項２】
カメラ装置の電源と照明灯の電源とを兼用するカメラ装置において、上記カメラ装置は、撮像部と、上記撮像部で撮像された映像信号を処理する信号処理部と、上記信号処理部で処理された信号を伝送する伝送部と、上記撮像部、上記信号処理部および上記伝送部に電力を供給する電源部からなり、上記照明部は、白熱灯と白熱灯を取り付けるソケットおよび上記白熱灯と上記ソケット間に設けた第２のアダプタからなり、上記第２のアダプタに上記カメラ装置を装着すると共に、上記カメラ装置の電源部は、上記ソケットから上記第２のアダプタを介して電力が供給されることを特徴とするカメラ装置。
【請求項３】
複数のカメラ装置と、上記複数のカメラ装置に結合された照明灯と、上記複数のカメラ装置および上記照明灯とを伝送路で結合された少なくとも１台の制御端末装置を有し、上記カメラ装置の電源と上記蛍光灯の電源とを兼用するカメラシステムであって、上記制御端末装置は、制御部および表示部を有し、上記制御部は、上記複数のカメラ装置および上記照明灯をそれぞれ制御すると共に上記表示部に少なくとも上記複数のカメラ装置および上記照明灯のＯＮ／ＯＦＦ状態を表示することを特徴とするカメラシステム。
【発明の詳細な説明】
【技術分野】
【０００１】
本発明は、カメラ装置およびカメラシステムに関し、特に、既設の蛍光灯の電源を利用するカメラ装置およびカメラシステムに関するものである。
【背景技術】
【０００２】
近年、安全管理等種々の観点から監視カメラの設置が多くなりつつある。これら監視カメラ装置は、銀行や公共の建物あるいは各家庭の入り口や屋内等に設置される場合が多い。例えば、入り口や屋内等の天井等に設置される監視カメラ装置では、電源のための配線や映像伝送のためのケーブルの設置が必要であり、工事を伴う既存の建家ではその設置が問題になる。また、いかに低価格で容易に設置するかが極めて重要な問題である。
【０００３】
図８は、例えば、従来、部屋等の天井に取りつけてある照明器具に近接して設置された監視カメラ装置を示している。図８において、室内等の天井８０１に照明灯８０２が取付けられている状態を示している。なお、図８では、照明灯として蛍光灯が図示されている。なお、８０３は、蛍光管、８０４は、ソケットおよび８０５は、給電線を示し、蛍光管８０３がソケット８０４に取付けら、給電線８０５からの電力供給で蛍光管８０３が発光する。監視カメラ装置は、屋内の配線を共用するために給電線８０５の近傍に給電線８０８を設け、監視カメラ装置を設置して電力を供給するようになされている。８０６は、カメラハウジングであり、監視カメラ装置８０７がカメラハウジング８０６に搭載されている。監視カメラ装置８０７は、上下左右に撮像方向を変えることができるカメラである。また、監視カメラ装置８０７は、カメラの映像信号を伝送する映像信号ケーブル８０９および、監視カメラ装置の上下左右の撮像方向を制御する制御信号を伝送する制御信号ケーブル８１０を備えている。
【０００４】
しかしながらこのような設置方法を採用しても監視カメラ装置８０６を新たに設置する場合には、監視カメラ装置８０６を新たに天井８０１に取付け、かつ、給電線８０８、映像信号ケーブル８０９および制御信号ケーブル８１０を取付けるための工事が必要であり、天井の加工等について余分な費用が発生し、また、美観を損なう等の問題が発生する場合が多い。
【０００５】
また、照明ランプおよび監視システム（例えば、特許文献１参照）には、蛍光灯に監視カメラを装着するものが説明されているが、具体的な構造や電力供給については何等言及されていない。
【０００６】
また、カメラ、カメラ内蔵型照明装置、制御装置、および監視装置（例えば、特許文献２参照）には、ナツメ球の代わりにカメラ装置を装着するものが示されているが、この方法では、照明と監視を両立できないと言う問題がある。
【０００７】
【特許文献１】特開２００３−１６７２８７号公報
【０００８】
【特許文献２】特開２００２−２１８４４０号公報
【発明の開示】
【発明が解決しようとする課題】
【０００９】
従来技術では、カメラの設置工事が必要であり、時間、工事費用がかかるという問題があり、また、既存の建物では、美観を損なうと言う問題も発生する。
【００１０】
本発明の目的は、照明灯とカメラ装置の電源を共用することのできるカメラ装置およびカメラシステムを提供することである。
【００１１】
本発明の他の目的は、既存の照明設備にカメラ装置を装着できるカメラ装置およびカメラシステムを提供することである。
【００１２】
本発明の更に他の目的は、照明灯とカメラ装置の可動状況を遠隔地で容易に把握できるカメラ装置およびカメラシステムを提供することである。
【課題を解決するための手段】
【００１３】
本発明のカメラ装置は、カメラ装置の電源と蛍光灯の電源とを兼用するカメラ装置であって、上記カメラ装置は、撮像部と、上記撮像部で撮像された映像信号を処理する信号処理部と、上記信号処理部で処理された信号を伝送する伝送部と、上記撮像部、上記信号処理部および上記伝送部に電力を供給する電源部からなり、上記蛍光灯は、第１と第２のフィラメントを有する発光管と、上記フィラメントに電力を供給される変圧器とからなり、上記カメラ装置の電源部は、上記フィラメントのいずれか一方に供給される電力、あるいは、上記第１と第２のフィラメント間に供給される電力のいずれか一方の電力を供給されるように構成される。
【００１４】
また、本発明のカメラ装置において、上記発光管は、上記フィラメントに電力を供給するコネクトピンを有し、上記カメラ装置は、上記コネクトピンに結合するための支持部材を有し、上記支持部材により上記カメラ装置は、上記蛍光灯に一体に支持されると共に上記支持部材に設けられた導電部材により上記コネクトピンから上記電源部に電力を供給するように構成される。
【００１５】
また、本発明のカメラ装置は、更に、第１のアダプタを有し、上記第１のアダプタに上記カメラ装置を装着すると共に、上記蛍光灯は、上記蛍光管に電力を供給するソケットを備え、上記ソケットと上記蛍光管との間に上記第１のアダプタを介在させるものである。
【００１６】
また、本発明のカメラ装置は、カメラ装置の電源と照明灯の電源とを兼用するカメラ装置において、上記カメラ装置は、撮像部と、上記撮像部で撮像された映像信号を処理する信号処理部と、上記信号処理部で処理された信号を伝送する伝送部と、上記撮像部、上記信号処理部および上記伝送部に電力を供給する電源部からなり、上記照明部は、白熱灯と白熱灯を取り付けるソケットおよび上記白熱灯と上記ソケット間に設けた第２のアダプタからなり、上記第２のアダプタに上記カメラ装置を装着すると共に、上記カメラ装置の電源部は、上記ソケットから上記第２のアダプタを介して電力が供給されるように構成される。
【００１７】
また、本発明の上記カメラ装置のいずれかにおいて、上記伝送部は、無線により映像信号を送信するものである。
【００１８】
また、本発明のカメラ装置において、更に、蓄電池を備え、上記照明灯に電源が供給されている時は、上記蓄電池を充電し、照明灯の電源が遮断された時は、上記蓄電池の電力を使用して上記カメラ装置を駆動するものである。
【００１９】
更に、本発明のカメラシステムは、複数のカメラ装置と、上記複数のカメラ装置に結合された照明灯と、上記複数のカメラ装置および上記照明灯とを伝送路で結合された少なくとも１台の制御端末装置を有し、上記カメラ装置の電源と上記蛍光灯の電源とを兼用するカメラシステムであって、上記制御端末装置は、制御部および表示部を有し、上記制御部は、上記複数のカメラ装置および上記照明灯をそれぞれ制御すると共に上記表示部に少なくとも上記複数のカメラ装置および上記照明灯のＯＮ／ＯＦＦ状態を表示するように構成される。
【発明の効果】
【００２０】
以上説明したように、本発明によれば、既存の照明灯の取付ソケットを流用するだけで監視カメラ装置を設置することができ、監視カメラ装置の設置工事が不要となる。しかも、天井の美観を損なうことなく監視カメラ装置を設置できると言う特徴がある。また、照明灯とカメラ装置を遠隔地から制御したり、それらの可動状況を容易に確認できる特徴がある。
【発明を実施するための最良の形態】
【００２１】
図５は、本発明の基本原理を説明するための図である。図５において、５０１は、蛍光管、５０２および５０３は、蛍光管５０１内に電子を放出するためのフィラメントである。フィラメント５０２および５０３には、変圧器５０４から分圧された電圧、通常は、数Ｖ程度の電圧が印加され、フィラメント５０２および５０３を加熱している。５０５は、通常は、商用電源、例えば、１００Ｖ電源で、変圧器５０４に供給され、フィラメント５０２および５０３間に放電電圧を印加するようになっている。５０６は、蛍光管５０１を放電させるためのコンデンサである。
【００２２】
５０７は、監視カメラ装置の電源部を示している。電源部５０７は、フィラメント５０２あるいは５０３、図５においては、フィラメント５０３の両端から給電線５０８および５０９で電力が供給されている。５１０は、電源部５０７で適宜変換された電圧が監視カメラの撮像部５１１、信号処理部５１２および送信部５１３に電力を供給するための電源線である。５１４は、信号処理部５１２で処理された信号が送信部５１３で高周波処理され、受信部（図示せず。）に映像信号を送信するアンテナである。なお、５１５は、電源スイッチであり、電源スイッチ５１５が投入され、蛍光灯が点灯すると監視カメラ装置が撮影を開始することになる。即ち、蛍光灯の点灯に合わせて監視カメラ装置が動作するように構成されている。また、監視カメラ装置への電力の給電線５０８、５０９にスイッチ（図示せず。）を設け、蛍光灯と監視カメラ装置を独立に駆動することもできる。
【００２３】
而して、本発明で使用される監視カメラ装置は、電源部５０７、撮像部５１１、信号処理部５１２および送信部５１３から構成されているが、ボードカメラのように極めて小型のカメラであり、動作電圧は、例えば、５Ｖ程度の電源であれば、十分である。従って、上述したようなフィラメント５０２あるいは５０３の両端の電圧、数Ｖ程度の電圧で十分駆動することが可能となる。
【００２４】
図６は、本発明の他の基本原理を説明するための図である。なお、図６において、各部の符号は、図５の各部の符号に対応する。図５においては、電源部５０７への電源供給は、数Ｖ程度のフィラメント５０２あるいは５０３の両端の電圧を利用したが、図６においては、フィラメント５０２とフィラメント５０３との間の電圧、即ち、商用電源５０５の電圧を給電線６０１と６０２から供給する構成となっている。この場合は、通常の監視カメラ装置を取付けても十分動作するに必要な電源が供給できる特徴がある。従って、本発明では、顧客の要求あるいは監視環境に応じて図５による監視カメラ装置を設置するか、図６による監視カメラ装置を設置するかを適宜選択して設置できる特徴がある。
【００２５】
以下、本発明の一実施例について説明する。図１（ａ）は、図５に示す基本原理を実施する本発明の一実施例の概略構成を示す図である。図１（ａ）において、１０１は、室内等の、例えば、天井を示し、この天井に蛍光灯１０２が取付けられている状態を示している。１０３は、蛍光灯１０２に電力を供給するための給電線である。１０４および１０５は、蛍光灯１０２のソケット、１０６は、カメラハウジングで、１０７は、カメラハウジングに設置された監視カメラ装置である。１０８は、蛍光管であり、蛍光管１０８は、コネクトピン１０９、１１０、１１１および１１２によりソケット１０４および１０５と結合されている。なお、コネクトピン１０９および１１０は、図５に示すフィラメント５０３の両端子に相当する。同様にコネクトピン１１１１および１１２は、図５に示すフィラメント５０２の両端子に相当する。また、１１３および１１４は、カメラハウジング１０６を支持する支持部材である。なお、１１５は、アンテナであり、図５に示すアンテナ５１４に相当する。また、監視カメラ装置１０７は、上下左右に方向を制御するための雲台（図示せず。）を有し、その制御信号も上記アンテナ１１５を介して所定の制御部に伝送されるように構成することは、容易に実施可能である。
【００２６】
図１（ｂ）は、蛍光管１０８側から蛍光管１０８の長軸方向に支持部材１１３およびソッケト１０４を見た平面拡大図を示している。図から明らかなように蛍光管１０８のコネクトピン１０９および１１０に支持部材１１３が勘合する構造に作られている。支持部材１１３には、コネクトピン１０９および１１０から監視カメラ装置に電力を供給する給電線５０８および５０９が敷設されている。また、支持部材１１４およびソッケト１０５の勘合部分も図１（ｂ）に示す構造とほぼ類似している。但し、この部分は、電力の供給を必要としないので、給電線の敷設はなく支持部材１１４およびソッケト１０５がコネクトピン１１１および１１２で勘合する構造に作られている。
【００２７】
なお、図６に示す本発明の他の基本原理を実現するための構成は、図１に示す構成と同様に構成することが可能であるが、電力供給がフィラメント５０２とフィラメント５０３との間の電圧を供給する必要があるため、給電線６０１および６０２は、支持部材１０４と１０５にそれぞれ別個に敷設されることで実現できる。
【００２８】
以上のように本発明では、既設の蛍光灯に監視カメラ装置の支持部材を取り付け、しかも蛍光灯の蛍光管に供給する電力を利用することにより、監視カメラ装置の設置工事が不要になり、簡単に、しかも専門の知識無しに監視カメラ装置を設置できる利点がある。
【００２９】
図２は、本発明の他の一実施例を示す概略構成図である。なお、図１と同じものには、同じ符号が付されている。図２において、２０１は、蛍光灯１０２のソケット１０４から監視カメラ装置の電源を取りこむアダプタである。このアダプタ２０１は、監視カメラ装置１０７を装着するカメラハウジングを兼ねており、アダプタ２０１の端部２０３には、蛍光管１０８のコネクトピン２０２と電気的に結合するコネクタ部が設けられ、他端部２０４には、ソケット１０４と電気的に結合するコネクタ部が設けられている。なお、アダプタ２０１の内部の配線は、図５に示すフィラメント５０３と電源部５０７への給電線５０８と５０９の結線と同様に構成することができる。このように構成すると、蛍光灯１０２、ソケット１０４、１０５、蛍光管１０８は、既存のものであり、それに監視カメラ装置を新たに設置する場合には、一度、照明管１０８を取り外し、監視カメラ装置１０７が搭載されたカメラハウジング（アダプタ）２０１をソケット１０４に取り付け、その後、蛍光管１０８をとりつける。なお、蛍光管には、いくつかの長さの蛍光管があるので、蛍光管を取り替える大きさにアダプタ２０１の大きさを設計することは言うまでもない。これによりアダプタ２０１を介し監視カメラ装置１０７に電源が供給される。また、アンテナ１１５を用いて映像信号を無線通信とすることにより新規な信号ケーブルなしでカメラの設置が完了する。
【００３０】
図３は、本発明の他の一実施例を示す概略構成図である。図３は、白熱灯等に使用する天井固定のブラケットと照明灯のソケット間に監視カメラ装置を設置した一実施例である。図３において、３０１は、天井１０１に固定されたブラケットであり、このブラケット３０１は、カメラハウジングを兼用し、監視カメラ装置１０７が装着されている。３０２は、例えば、白熱灯である。
【００３１】
図４は、本発明の他の一実施例を示す概略構成図である。図４は、白熱灯と白熱灯を取り付けるソケット間にカメラ装置を設置した一実施例である。図４において、４０１は、ソケット、４０２は、監視カメラ装置を装着するアダプタで、ソケット４０１に電気的に結合される。このアダプタ４０２には、白熱灯３０２を結合するソケットが設けられている。
【００３２】
この図４に示す構成の詳細構造を図７に示す。図７は、ソッケト４０１、アダプタ４０２および白熱灯３０２を示し、それぞれが結合する前の状態を示している。まず、ソケット４０１は、電源５０５から電力を供給される電極７０１と７０２を有している。電極７０２には、螺旋状の溝が形成され、アダプタ４０２がねじ込まれる構造になっている。そして、ねじ込まれた状態では、電極７０１と電極７０３が接続され、また、電極７０２と電極７０４が接続されるようになっている。次に、白熱灯３０２は、アダプタ４０２の凹部にねじ込まれ、白熱灯は、それぞれ電極７０５と７０６に接続され、白熱灯は、点灯する。
【００３３】
一方、監視カメラ装置の電源部５０７には、電極７０３から給電線７０７で、また、電極７０６から給電線７０８で電力が供給される。従って、電源部５０７では、アダプタ４０２から電力が供給され、必要な電圧変換を施し、撮像部５１１に電力を供給する。なお、信号処理部、送信部は、省略してある。
【００３４】
以上説明した各実施例は、屋内の例を説明しているが、屋外の場合も同様である。また上記実施例では、照明灯と監視カメラ装置の電源は、共通に供給されるため電源スイッチ５１５のＯＮ／ＯＦＦが共通となるが、例えばカメラハウジングの内部にバッテリー（蓄電池）を搭載し主電源スイッチがＯＮされている時は充電され、ＯＦＦされた時は充電された電力を使用することにより照明灯がＯＦＦされても監視カメラ装置は、蓄電池で駆動することができるので、常時監視カメラ装置を駆動することが可能である。また、蓄電池の充電用電源として、太陽電池等を用いるようにすれば、商用電源とは別に、太陽光や照明灯の光で充電器を充電し、監視カメラ装置を動作させることが可能である。特に、前述した５Ｖ程度の小型の電源で駆動できる監視カメラ装置は、太陽光や照明灯の光で充電できる充電器を用いることも可能である。また、照明灯や監視カメラ装置のＯＮ／ＯＦＦのために赤外線リモコンを使用するようにすれば、容易に遠隔操作が可能となる。更に、照明灯のみ、あるいは、監視カメラ装置のみをＯＮ／ＯＦＦ制御することも可能となる。また、カメラハウジングの内部に照明灯、あるいは、監視カメラ装置用の電源のＯＮ／ＯＦＦ機能を持たせ無線通信により制御させることも可能である。
【００３５】
次に、本発明の更に他の一実施例を図９を用いて説明する。  図９は、本発明の他の一実施例の監視システムを説明するためのブロック図を示す。図９において、９０１−１、・・・９０１−ｎは、例えば、図５に示される監視カメラ装置（電源部５０７、撮像部５１１、信号処理部５１２および送信部５１３から構成されている。但し、送信部５１３は、無線ではなく、伝送路に結合されている場合を示す。）が複数台、伝送路９０２、例えば、ＬＡＮ（Local Area Network）等でサービスセンタ９０３および監視事務所９０４に接続されている場合を示している。特に、広範囲の監視を必要とする地域や建物では、数台から数十台の監視カメラ装置９０１（監視カメラ装置を総称する場合は、９０１と称する。）が設置されるのが普通である。なお、複数の監視カメラ装置９０１−１、・・・・９０１−ｎには、照明装置９１２−１、・・・９１２−ｎ（複数の照明装置９１２−１、・・・９１２−ｎを総称する場合は、照明装置９１２と称する。）が設けられている。
【００３６】
サービスセンタ９０３は、監視システムの維持管理を行なうもので、監視カメラ装置９０１の稼動状況を把握したり、各種設定を行なったり、設定を変更したり、また、照明装置９１２のＯＮ／ＯＦＦ制御をするためのＣＰＵ９０５を具えている。ＣＰＵ９０５は、監視カメラ装置９０１−１、・・・９０１−ｎそれぞれの動作状態および、照明装置９１２−１、・・・９１２−ｎのＯＮ／ＯＦＦの状態を把握するためのモニタ９０６および各種設定のための操作器（キーボード、マウス等）９０７からなる。これらを総称して制御端末装置とも言う。ＣＰＵ９０５は、操作器９０７の指示に基づき、監視カメラ装置９０１および照明装置９１２を制御する機能を有している。
【００３７】
監視事務所９０４は、監視カメラ装置９０１−１・・・９０１−ｎから送られてくる監視映像を入手するための複数のＣＰＵ９０９（制御端末装置とも言う。）が設置され、そのモニタ９１０に監視映像が表示されるようになっている。勿論、モニタ９１０には、照明灯９１２のＯＮ／ＯＦＦの状態も表示されるようになっている。操作器９１１は、ＣＰＵ９０９への入力手段であり、監視者がモニタしたい場所に設置されているカメラ装置の監視映像を選択してモニタすることも可能である。また、ＣＰＵ９０９およびモニタ９１０は、必要に応じて複数の監視カメラ装置９０１からの監視映像をマルチ表示する機能も有していることは言うまでもない。なお、図９の実施例では、監視事務所の中に複数台の制御端末装置が設置されているが、複数の場所に分散して設置することもできる。
【００３８】
以上、本発明について詳細に説明したが、本発明は、ここに記載された監視カメラ装置および監視カメラシステムに限定されるものではなく、上記以外のカメラ装置およびカメラシステムに広く適応することが出来ることは、言うまでも無い。
【図面の簡単な説明】
【００３９】
【図１】本発明の一実施例を示す概略構成図である。
【図２】本発明の他の一実施例を示す概略構成図である。
【図３】本発明の他の一実施例を示す概略構成図である。
【図４】本発明の他の一実施例を示す概略構成図である。
【図５】本発明の基本原理を説明するための概略構成図である。
【図６】本発明の他の基本原理を説明するための概略構成図である。
【図７】図４に示す本発明の一実施例の具体的な構成を示す図である。
【図８】従来の監視カメラ装置の一例を示す概略構成図である。
【図９】本発明の更に他の一実施例を示すブロック図である。
【符号の説明】
【００４０】
１０１：天井、１０２：蛍光灯、１０３：給電線、１０４、１０５：ソケット、１０６：カメラハウジング、１０７：監視カメラ装置、１０８、５０１：蛍光管、１０９、１１０、１１１、１１２、２０２：コネクトピン、１１３、１１４：支持部材、１１５：アンテナ、２０１、４０２：アダプタ、２０３：アダプタの端部、２０４：アダプタの他端部、３０１：ブラケット、３０２：白熱灯、４０１：ソケット、５０２、５０３：フィラメント、５０４：変圧器、５０５：電源、５０６：コンデンサ、５０７：電源部、５０８、５０９：給電線、５１０：電源線、５１１：撮像部、５１２：信号処理部、５１３：送信部、５１４：アンテナ、５１５：電源スイッチ。
【図１】
2005184167.tif 000003
【図２】
2005184167.tif 000004
【図３】
2005184167.tif 000005
【図４】
2005184167.tif 000006
【図５】
2005184167.tif 000007
【図６】
2005184167.tif 000008
【図７】
2005184167.tif 000009
【図８】
2005184167.tif 000010
【図９】
2005184167.tif 000011